(57)【要約】【課題】反射型の電気泳動表示装置において、白色散乱層での駆動電圧の損失を防止し、明状態における表示品位の悪化を防止する。【解決手段】図示の反射型電気泳動表示装置では、白色散乱層４は下側の基板１ｂに配置されており、電極５ａ，５ｂは上側の基板１ａに配置されている。したがって、これらの電極５ａ，５ｂに駆動電圧を印加しても、白色散乱層４による駆動電圧の損失を抑制できる。また、駆動電圧の損失を気にせずに白色散乱層４を厚くでき、そのため、明状態における表示品位を向上させることができる。【選択図】      図１
2004361514.tif 000002
【特許請求の範囲】
【請求項１】
所定間隙を開けた状態に配置された第一基板及び第二基板と、これらの基板の間隙に配置された分散媒及び複数の帯電粒子と、前記第二基板の側に配置された反射層と、前記分散媒に近接するように各画素に配置された第一電極及び第二電極と、を備え、これらの電極に電圧を印加して前記反射層を前記帯電粒子にて覆ったり露出させたりすることに基づき表示を行うようにした電気泳動表示装置において、
前記第一電極は前記第一基板の側に配置され、かつ、
前記第一電極と前記第二電極との間に前記反射層が位置しないように構成された、
ことを特徴とする電気泳動表示装置。
【請求項２】
前記基板の間隙を仕切るように画素と画素との間に配置された隔壁、
を備えたことを特徴とする請求項１に記載の電気泳動表示装置。
【請求項３】
各画素の第二電極は、異なる電圧を印加できるように互いに絶縁状態とし、
各画素の第一電極は、共通の電圧を印加できるように導通状態とし、かつ、
各画素の第二電極にはスイッチング素子を介して電圧を印加するようにした、
ことを特徴とする請求項１又は２に記載の電気泳動表示装置。
【請求項４】
各画素の第一電極は、異なる電圧を印加できるように互いに絶縁状態とし、
各画素の第二電極は、共通の電圧を印加できるように導通状態とし、かつ、
各画素の第一電極にはスイッチング素子を介して電圧を印加するようにした、
ことを特徴とする請求項１又は２に記載の電気泳動表示装置。
【請求項５】
前記スイッチング素子は画素と画素との境界の部分に配置された、
ことを特徴とする請求項３又は４に記載の電気泳動表示装置。
【請求項６】
前記第二電極は、前記第一基板の側に配置された、
ことを特徴とする請求項１乃至５のいずれか１項に記載の電気泳動表示装置。
【請求項７】
前記第二電極は前記隔壁に支持された、
ことを特徴とする請求項２乃至５のいずれか１項に記載の電気泳動表示装置。
【請求項８】
前記第二電極は、前記第二基板の側であって、前記反射層で被覆されない位置に配置された、
ことを特徴とする請求項１乃至７のいずれか１項に記載の電気泳動表示装置。
【請求項９】
各画素の前記反射層を覆うようにカラーフィルターを配置し、カラー表示を行えるようにした、
ことを特徴とする請求項１乃至８のいずれか１項に記載の電気泳動表示装置。
【発明の詳細な説明】
【０００１】
【発明の属する技術分野】
本発明は、帯電粒子を移動させて表示を行う電気泳動表示装置に関する。
【０００２】
【従来の技術】
近年、帯電粒子を移動させて表示を行う電気泳動表示装置が注目されている。
【０００３】
この電気泳動表示装置には、いわゆる上下移動型のものと水平移動型のものとがある。
【０００４】
上下移動型の電気泳動表示装置は、所定間隙を開けた状態に配置された一対の基板と、該基板の間隙に配置された分散媒及び複数の帯電粒子とにより構成され、対向しあう画素電極と対向電極の間でスイッチングを行ない基板に対し垂直方向（基板の厚み方向）の電界を発生させて、帯電粒子を基板に対し垂直方向に移動させるようにしている（例えば、特許文献１参照）。
【０００５】
水平移動型の電気泳動表示装置は、図６に示すように、所定間隙を開けた状態に配置された一対の基板１ａ，１ｂと、該基板の間隙に配置された分散媒２及び帯電粒子３とにより構成され、画素電極１５ａ及び対向電極１５ｂを同じ基板の側に配置し、水平方向（基板面に沿った方向）の電界を発生させて、帯電粒子３を基板に沿って移動させるようにしている（例えば、特許文献２参照）。
【０００６】
ところで、このような水平移動型電気泳動素子を反射型表示装置に適応したものが提案されており、反射層４を図示のように電極１５ａ，１５ｂを覆うように配置したものが提案されている（例えば、特許文献３参照）。
【０００７】
【特許文献１】
特開平９−１８５０８７号公報
【特許文献２】
特開昭４９−２４６９５号公報
【特許文献３】
特開平１１−２０２８０４号公報
【０００８】
【発明が解決しようとする課題】
ところで、外光を利用した直視反射型表示素子を構成する場合、反射層４には高反射性の材料からなる微粒子を透明な絶縁性樹脂に分散させたものが用いられる。微粒子には酸化チタン（ＴｉＯ２）や酸化アルミ（Ａｌ２Ｏ３）が好適であり、また透明な樹脂には、アクリル樹脂、ウレタン樹脂、フッ素系樹脂、ノルボルネン樹脂、ポリカーボネート（ＰＣ）樹脂、ポリエチレンテレフタレート（ＰＥＴ）樹脂などが用いられる。特に酸化チタンとウレタン樹脂の組み合せによる反射層は、外光を利用して明状態を表示する直視反射型表示素子には最も好適な白色散乱材料とされている。
【０００９】
このような直視反射型表示素子において反射層４の厚みは反射率など明状態の表示品位に大きく影響するため、明状態の表示品位を向上させるためには反射層４の厚みをより厚い設計にする必要が生じる。
【００１０】
しかしながら、図６に示すように、電極１５ａ，１５ｂを覆う位置に反射層４を配置すると、反射層４に比誘電率の低い材料を用いた場合には、電気泳動に係る層と電極の間に大きな容量成分を抱えることになる。その結果、残留直流電界が発生して、画素電極１５ａと対向電極１５ｂの間に印加した電界電圧（駆動電圧）は大きな損失を生じることとなってしまい、帯電粒子３に印加される電圧を所定以上に維持しようとすると、駆動電圧を大きくせざるを得なかった。このような問題は、明状態の表示品位を向上させるべく反射層４を厚くした場合に顕著であった。
【００１１】
そこで、本発明は、明状態の表示品位と低電圧駆動の両方を実現できる電気泳動表示装置を提供することを目的とするものである。
【００１２】
【課題を解決するための手段】
本発明は上記事情を考慮してなされたものであり、所定間隙を開けた状態に配置された第一基板及び第二基板と、これらの基板の間隙に配置された分散媒及び複数の帯電粒子と、前記第二基板の側に配置された反射層と、前記分散媒に近接するように各画素に配置された第一電極及び第二電極と、を備え、これらの電極に電圧を印加して前記反射層を前記帯電粒子にて覆ったり露出させたりすることに基づき表示を行うようにした電気泳動表示装置において、
前記第一電極は前記第一基板の側に配置され、かつ、
前記第一電極と前記第二電極との間に前記反射層が位置しないように構成された、ことを特徴とする。
【００１３】
【発明の実施の形態】
以下、図面を参照して、本発明の実施の形態について説明する。
【００１４】
本実施の形態に係る電気泳動表示装置は、図１（ａ）  （ｂ）  に符号Ｄ１で示すように、所定間隙を開けた状態に配置された第一基板１ａ及び第二基板１ｂを備えており、これらの基板１ａ，１ｂの間隙には分散媒２及び複数の帯電粒子３が配置されている。また、各画素Ａ（図には１つのみ示す）において前記第二基板１ｂの側（分散媒２を基準にして、第一基板１ａの側ではなく第二基板１ｂの側の意味）には反射層４が配置されており、前記分散媒２に近接するように第一電極５ａ及び第二電極５ｂが配置されている。そして、前記第一電極５ａは前記第一基板１ａの側（分散媒２を基準にして、第二基板１ｂの側ではなく第一基板１ａの側の意味）に配置され、かつ、前記第一電極５ａと前記第二電極５ｂとの間に前記反射層４が位置しないように構成されている。
【００１５】
そして、これらの電極５ａ，５ｂに電圧を印加して前記反射層４を前記帯電粒子３にて覆ったり（図１（ｂ）  参照）、前記反射層４を露出させたり（図１（ａ）  参照）することに基づき表示を行うように構成されている。つまり
・  前記帯電粒子３が前記第二電極５ｂに引き付けられて狭い領域に集積された画素（図１（ａ）  参照）では反射層４が露出されて、その反射光により画素Ａの色が規定され、
・  前記帯電粒子３が前記第一電極５ａに引き付けられて広い領域に配置（分散）された画素（図１（ｂ）  参照）では反射層４が隠されて、該帯電粒子３の色が画素Ａの色として視認される、
こととなる。このように、本発明に係る電気泳動表示装置は、帯電粒子３を第一電極５ａの側又は第二電極５ｂの側に移動させることに基づき各画素の表示色を制御し、電気泳動表示装置全体で種々の情報を表示するように構成されている。
【００１６】
ここで、「前記第一電極５ａと前記第二電極５ｂとの間に前記反射層４が位置しない」とは、これらの電極５ａ，５ｂに電圧を印加した場合に反射層４による電圧損失がほとんど無くなるような位置関係をいう。また、本明細書では、分散媒２に帯電粒子３を分散させた状態のものを、適宜“分散液”と称する。
【００１７】
本発明に係る電気泳動表示装置はいわゆる反射型であるので、観察者側に配置される第一基板１ａや第一電極５ａは光を透過する材質のものでなければならない（詳細は後述）。これに対し、第二基板１ｂや第二電極５ｂは、光を透過させなくて良い。
【００１８】
上述の反射層４としては、前記第二基板１ｂに沿うように配置された白色散乱層を挙げることができる。この反射層４は、各画素中の比較的広い領域に配置されていれば良い。この反射層４は、前記第二基板１ｂの内面（分散媒２が配置された側の面）に配置すると良い。
【００１９】
上述の第一電極５ａは、前記第一基板１ａに沿うように配置されていれば良く、各画素中の比較的広い領域に配置されていれば良い。該第一電極５ａは、第一基板１ａの内面（分散媒２が配置された側の面）に配置すると良い。
【００２０】
なお、前記基板１ａ，１ｂの間隙を仕切るように、画素と画素との間に隔壁６を配置して画素（最小画素単位）を区画したり、基板間隙を規定するようにしても良い。図１に示す隔壁６は断面が矩形状をしているが、台形としても、側壁面を曲面にしても良い。
【００２１】
本発明は、上述のように帯電粒子３を広い領域に分散させる状態と狭い領域に集積させる状態とを利用して表示を行うものであって、いわゆる“水平移動型”と称される構造のものに適用できる。ここで、図１に示す電気泳動表示装置Ｄ１では、第二電極５ｂは第一基板１ａの側に（つまり、第一電極５ａと同様に第一基板１ａの内面に沿って）配置されているが、帯電粒子３を狭い領域に集積させることができれば他の位置に配置しても良い。例えば、第二電極５ｂを、
・  前記隔壁６に支持させても（例えば、隔壁６の内部に第二電極を形成したり、隔壁６の側壁面に第二電極を形成したりしても）、
・  図３や図５に示すように、前記第二基板１ｂの側であって、前記反射層４で被覆されない位置に配置しても、
良い。
【００２２】
ところで、各画素の第二電極５ｂは、異なる電圧を印加できるように互いに絶縁状態とし（つまり、画素電極とし）、各画素の第一電極５ａは、共通の電圧を印加できるように導通状態にする（つまり、共通電極にする）と良い。そして、各画素の第二電極５ｂには、図２に示すように、スイッチング素子７を介して電圧を印加すると良い。逆に、各画素の第一電極５ａは、異なる電圧を印加できるように互いに絶縁状態とし（つまり、画素電極とし）、各画素の第二電極５ｂは、共通の電圧を印加できるように導通状態にしても（つまり、共通電極にしても）良い。そして、各画素の第一電極５ａには、図４に示すように、スイッチング素子７を介して電圧を印加するようにしても良い。
【００２３】
上述のスイッチング素子７は（第一基板１ａの側に配置する場合には）画素と画素との境界の部分Ｂに配置すると良い。その場合には、開口率の低下を防止できる。
【００２４】
ところで、各画素における第一電極５ａと第二電極５ｂとは互いに絶縁しておく必要があり、隣接する画素間においては画素電極（図４の第一電極５ａや、図２の第二電極５ｂ）どうしの絶縁性を確保しておく必要もある。そのためには、電極どうしを離して配置したり、電極間に絶縁層（符号８参照）を配置すると良い。例えば、図１に示すように第一電極５ａと第二電極５ｂとが並べて配置されるような場合にはそれらの間に絶縁層８を配置すると良い。また、これらの電極５ａ，５ｂを並べて配置するのではなく、基板の厚み方向にオフセットさせて配置しても良い（図３及び図５参照）。かかる場合は、隔壁６を絶縁材料で形成して絶縁層の役割を果たさせても良い。
【００２５】
各画素の反射層４を覆うようにカラーフィルター（不図示）を配置し、カラー表示を行うようにしても良い。
【００２６】
本発明に係る電気泳動表示装置を以下のようにしても良い。
【００２７】
第一基板１ａ及び第二基板１ｂと、これらの基板１ａ，１ｂの間隙を最小画素単位に区画すると共に該間隙の厚さ寸法を規定する隔壁６と、前記基板１ａ，１ｂ及び前記隔壁６によって形成される空間に充填される帯電粒子３が分散された透明な分散媒２と、を備えたものとし、
前記第一基板１ａを透明基板とし、
該第一基板１ａにおける前記第二基板１ｂに対向する側の面に透明な第一電極５ａを備え、
前記第二基板１ｂにおける前記第一基板１ａに対向する側の面に反射層４を備え、
前記隔壁内に少なくともその一部が形成されてなる第二電極５ｂを備えると良い。
【００２８】
以下、電気泳動表示装置の各構成部品について詳述する。
【００２９】
第一基板１ａの材料は、高い透明性を有するものならば特に限定されないが、例えばガラス、石英等の無機材料や、ポリマーフィルムなどの有機材料を挙げることができる。第二基板１ｂは、特に高い透明性を有する必要は無く、表面に絶縁層を有するステンレス基板などにて形成しても良い。
【００３０】
第一電極５ａの材料は、透光性の導電性材料ならば特に限定されないが、例えば酸化インジウム錫（ＩＴＯ）などが好適である。また、第二電極５ｂの材料は、パターニング可能な導電性材料ならば特に限定されないが、例えば酸化インジウム錫（ＩＴＯ）、アルミ、チタンなどが好適である。
【００３１】
絶縁層８に用いる材料としては、薄膜でピンホールが形成されにくいものが良い。具体的には、高い透明性を有するポリイミド樹脂、ポリエステル樹脂、ポリアクリレート樹脂、ポリメタクリレート樹脂、ポリカーボネート樹脂、ポリアリレート樹脂、ノボラック樹脂、エポキシ樹脂等を挙げることができる。
【００３２】
また、上記隔壁６にはポリマー樹脂等を使用すれば良い。具体的には、ポリイミド樹脂、ポリエステル樹脂、ポリアクリレート樹脂、ポリメタクリレート樹脂、ポリカーボネート樹脂、ポリアリレート樹脂、ノボラック樹脂、エポキシ樹脂等を挙げることができる。
【００３３】
隔壁６を形成する方法としては、光感光性樹脂層を塗布した後に露光及びウエット現像を行う方法、印刷法によって形成する方法、隔壁を形成した後に基板に接着する方法、光透過性の基板表面にモールドによって形成しておく方法等を挙げることができる。
【００３４】
本発明に使用する反射層４には高反射性の材料からなる微粒子を透明な絶縁性樹脂に分散させたものが用いられる。微粒子には酸化チタン（ＴｉＯ２）や酸化アルミ（Ａｌ２Ｏ３）が好適であり、また透明な樹脂には、アクリル樹脂、ウレタン樹脂、フッ素系樹脂、ノルボルネン樹脂、ポリカーボネート（ＰＣ）樹脂、ポリエチレンテレフタレート（ＰＥＴ）樹脂などが用いられる。特に酸化チタンとウレタン樹脂の組み合せが好適である。
【００３５】
本発明に用いられる帯電粒子３とは、分散媒として用いる溶媒との組み合せにおいて、溶媒に対して不溶であり、溶媒中において分散された状態で存在できるものである。また、本発明の帯電粒子３の成分は、無機着色材料、有機顔料、高分子材料ならびにそれらの混合物のいずれでもよく、本発明の範囲内であれば特に限定はされない。帯電粒子３は、使用する電気泳動表示素子の表示方法に合わせて着色することができる。
【００３６】
また、本発明に用いる帯電粒子３としては、市販の粒子を用いることができる。例えば、ミクロパール（積水化学工業（株）製）、ナトコスペーサー粒子（ナトコ（株）製）、エポカラー粒子（日本触媒化学工業（株）製）、ケミスノー（総研化学（株）製）、トスパール（ＧＥ東芝シリコーン（株）製）、テクポリマー（積水化成品工業）等が挙げられるが、特にこれらに限定されるものではない。
【００３７】
さらに本発明に用いる帯電粒子３の平均粒子径は、０．１μｍ以上５μｍ以下の範囲が好ましい。本発明では、必要であれば、乾式分級や湿式分級等の公知の方法で粒子の分級を行うことができる。
【００３８】
分散媒２としては、導電率の低い高絶縁性有機溶媒が使用される。具体的には、ベンゼン、エチルベンゼン、ドデシルベンゼン、トルエン、キシレン、ナフテン系炭化水素などの芳香族炭化水素溶媒、トリクロロトリフルオロエチレン、臭化エチルなどのハロゲン化炭化水素溶媒、あるいはシリコンオイル、高純度石油等が挙げられるが、中でも脂肪族炭化水素溶媒が好適に使用され、具体的にはアイソパーＧ、Ｈ，Ｍ，Ｌ（いずれもエクソン化学社製）、Ｓｈｅｌｌｓｏｌ（昭和シェルジャパン）、ＩＰソルベント１０１６、１６２０、２０２８、２８３５（出光石油化学）が挙げられる。これらを単独、あるいは２種類以上混合して用いることができる。
【００３９】
本発明に用いる分散媒２は、使用する電気泳動表示素子の表示方法に合わせて粒子と異なる色に着色することができる。着色剤としては、分散媒に溶解可能な油溶性染料であれば特に限定はされない。
【００４０】
さらに本発明の電気泳動表示用の分散液においては、帯電粒子３の帯電量を高める、あるいは帯電安定性を付与する目的で、ロジンエステルまたはロジン誘導体を使用することができる。ロジンエステルまたはロジン誘導体としては分散媒に可溶であるならば特に限定されないが、たとえばガムロジン、ウッドロジン、トール油ロジン、ロジン変性マレイン酸、ロジン変性ペンタエリスリトール、ロジングリセリンエステル、部分水素添加ロジンメチルエステル、部分水素添加ロジングリセリンエステル、部分水素添加ロジントリエチレングリコールエステル、完全水素添加ロジンペンタエリスリトールエステル、マレイン酸変性ロジンエステル、フマル酸変性ロジンエステル、アクリル酸変性ロジンエステル、マレイン酸変性ロジンペンタエリスリトールエステル、フマル酸変性ロジンペンタエリスリトールエステル、アクリル酸変性ロジングリセリンエステル、マレイン酸変性ロジングリセリンエステル、フマル酸変性ロジングリセリンエステル、アクリル酸変性ロジングリセリンエステル等が挙げられる。
【００４１】
本発明においては、これらの帯電制御剤ならびに帯電安定化剤は、単独または２種類以上混合して用いることができる。
【００４２】
また、上記分散液には、帯電粒子３の帯電量を高める、あるいは帯電安定性を付与する目的で、帯電制御剤や解離安定剤など、本発明に係る分散安定剤以外の添加剤が含有されていても良い。具体的には、たとえばナフテン酸コバルト、ナフテン酸ジルコニウム、ナフテン酸銅、ナフテン酸鉄、ナフテン酸鉛、ナフテン酸マンガン、ナフテン酸亜鉛、オクテン酸コバルト、オクテン酸ジルコニウム、オクテン酸鉄、オクテン酸鉛、オクテン酸ニッケル、オクテン酸マンガン、オクテン酸亜鉛等の金属石鹸が挙げられるが、これらに限定されるものではない。
【００４３】
次に、本実施の形態の効果について説明する。
【００４４】
本実施の形態によれば、第一電極５ａと第二電極５ｂとの間に反射層４が位置しないように構成されているので、該反射層４による駆動電圧の損失を防止できる。したがって、電極５ａ，５ｂに印加する電圧を低く抑えることができ、低電圧駆動を実現できる。また、そのような駆動電圧の損失が生じないので、反射層４を厚くして明状態の表示品位を向上させることができる。
【００４５】
【実施例】
図２から図６を参照して、実施例１〜４、および比較例１，２を説明する。これらの実施例及び比較例では、パラフィン系炭化水素溶媒を主成分とする絶縁性液体（分散媒）２に、アクリル樹脂でコーティングしたカーボンブラックから成る黒色の帯電粒子３を分散させた粒子分散液を用いた。
【００４６】
なお、これらの実施例及び比較例では明状態における最大反射率（％）を測定しているが、硫酸バリウム（ＢａＳＯ４）標準白色散乱体の白色光に対する反射率を１００％として算出した。
【００４７】
（実施例１）
図２を参照して、実施例１を説明する。
【００４８】
透明基板（第一基板）１ａの表面には透明電極（第一電極）５ａが設けられている。透明電極５ａの面積は隔壁６で区画された画素Ａの面積（９０μｍピッチの正方領域）にほぼ相当し、透明電極５ａは透明なＩＴＯで形成されている。
【００４９】
対向電極（第二電極）５ｂは各々の透明電極５ａの周囲に絶縁層８を介して設けられている。対向電極５ｂはアルミニウムで５μｍの幅に形成されている。また、各対向電極５ｂを覆い隠すように、１０μｍ幅の隔壁６が形成されている。この隔壁６は１０μｍの高さの感光性エポキシ樹脂であり、分散液を配置する間隙を規定する役割も果たしている。さらに対向電極５ｂにはＴＦＴ素子（スイッチング素子）７が接続されており、透明電極５ａとの間でアクティブ駆動が行える。対向基板（第二基板）１ｂの側には白色散乱層（反射層）４が配置されている。白色散乱層４は、ウレタン樹脂に粒径０．５μｍの酸化チタンを含有させて形成されており、その厚さは５０μｍである。
【００５０】
また、図示していないが、透明電極５ａと隔壁６を含む表面は、透明なアクリル樹脂の薄膜で被覆した。
【００５１】
電気泳動表示装置Ｄ１は次のようにして作製した。
【００５２】
まず、対向基板１ｂに白色散乱層４を形成し、その表面に隔壁６を形成し、隔壁６で区画された凹部に粒子分散液を充填した。一方の透明基板１ａの表面には透明電極５ａや対向電極５ｂを形成しておき、図示のような構成になるようにこれらの基板１ａ，１ｂをＵＶ硬化型接着剤（不図示）によって貼り合わせた。
【００５３】
この表示装置によれば、透明電極５ａと対向電極５ｂとの間に電圧を印加することで表示を行うことができる。表示に用いる色は白色及び黒色であるが、透明電極５ａ及び対向電極５ｂに印加する電圧信号の大きさや時間を適宜調整することで階調表示を行うことができる。このとき表示に必要な最大駆動電圧は±１０．１Ｖであり、明状態における最大反射率は６８パーセントであった。
【００５４】
（実施例２）
本実施例では、図３に示す電気泳動表示装置Ｄ３を作製した。すなわち、対向電極５ｂやＴＦＴ７は、透明基板１ａの側ではなくて対向基板（第二基板）１ｂの側（正確には、白色散乱層４の上面であって、該散乱層４により被覆されない位置）に配置した。なお、隔壁６の幅寸法や高さ寸法や材質は実施例１と同じにし、対向電極５ｂの幅は隔壁６と同じ１０μｍとした。その他の構成は実施例１と同じにした。
【００５５】
そして、実施例１と同じように駆動したところ、表示に必要な最大駆動電圧は±９．７Ｖであり、明状態における最大反射率は６６パーセントであった。
【００５６】
（実施例３）
本実施例では、図４に示す電気泳動表示装置Ｄ４を作製した。すなわち、透明電極５ａではなく対向電極５ｂの方を共通電極とし、ＴＦＴ７は透明電極５ａの方に接続した。その他の構成は実施例１と同じにした。
【００５７】
そして、実施例１と同じように駆動したところ、表示に必要な最大駆動電圧は±９．８Ｖであり、明状態における最大反射率は６８パーセントであった。
【００５８】
（実施例４）
本実施例では、図５に示す電気泳動表示装置Ｄ５を作製した。すなわち、透明電極５ａではなく対向電極５ｂの方を共通電極とし、ＴＦＴ７は透明電極５ａの方に接続した。対向電極５ｂは、実施例２と同様の材質及び寸法のものを対向基板１ｂの側に配置した。隔壁６の配置位置や寸法や材質は、実施例２と同じとした。その他の構成は実施例１と同じとした。
【００５９】
そして、実施例１と同じように駆動したところ、表示に必要な最大駆動電圧は±９．３Ｖであり、明状態における最大反射率は６６パーセントであった。
【００６０】
（比較例１）
本比較例では、図６に示す電気泳動表示装置Ｄ６を作製した。
【００６１】
すなわち、画素電極１５ａ及び対向電極１５ｂは対向基板１ｂの表面に配置し、それらの電極１５ａ，１５ｂの間には絶縁層８を配置した。画素電極１５ａの寸法や材質は実施例１〜４の透明電極５ａと同じにした。対向電極１５ｂは、５μｍ幅のアルミニウムにて形成した。また、対向電極１５ｂを共通電極とし、各画素電極１５ａにはＴＦＴ７を接続した。そして、これらの電極１５ａ，１５ｂ及び絶縁層８を覆うように白色散乱層４を配置した。白色散乱層４の材質や厚さは実施例１〜４と同じにした。さらに、画素境界部Ｂ（対向電極１５ｂや絶縁層８が形成された部分）には隔壁６を配置した。隔壁６の材質や寸法は実施例１〜４と同じにした。
【００６２】
そして、隔壁６により区画された凹部に、各実施例と同様に分散液を充填し、透明基板１ａをＵＶ硬化型接着剤で封止した。
【００６３】
そして、各実施例と同じように駆動したところ、表示に必要な最大駆動電圧は±６０Ｖ以上となり、画素電極１５ａに＋６０Ｖの電圧を印加した時の明状態における最大反射率は４０パーセントであった。
【００６４】
（比較例２）
本比較例では、白色散乱層４は、ウレタン樹脂に粒径０．５μｍの酸化チタンを含有させて形成されており、その厚さは５μｍとした。その他の構成は比較例１と同じにした。
【００６５】
この表示装置を駆動したところ、表示に必要な最大駆動電圧は±２２Ｖであり、明状態における最大反射率は２２パーセントであった。
【００６６】
【発明の効果】
以上説明したように、本発明によると、第一電極と第二電極との間に反射層が位置しないように構成されているので、該反射層による駆動電圧の損失を防止できる。したがって、これらの電極に印加する電圧を低く抑えることができ、低電圧駆動を実現できる。また、そのような駆動電圧の損失が生じないので、反射層を厚くして明状態の表示品位を向上させることができる。
【図面の簡単な説明】
【図１】本発明に係る電気泳動表示装置の構造の一例を示す断面図。
【図２】本発明に係る電気泳動表示装置の構造の一例を示す断面図。
【図３】本発明に係る電気泳動表示装置の構造の一例を示す断面図。
【図４】本発明に係る電気泳動表示装置の構造の一例を示す断面図。
【図５】本発明に係る電気泳動表示装置の構造の一例を示す断面図。
【図６】電気泳動表示装置の従来構造の一例を示す断面図。
【符号の説明】
１ａ        透明基板（第一基板）
１ｂ        対向基板（第二基板）
２          絶縁性液体（分散媒）
３          帯電粒子
４          白色散乱層（反射層）
５ａ        透明電極（第一電極）
５ｂ        対向電極（第二電極）
６          隔壁
７          ＴＦＴ（スイッチング素子）
Ａ          画素
Ｄ１        電気泳動表示装置
Ｄ２        電気泳動表示装置
Ｄ３        電気泳動表示装置
Ｄ４        電気泳動表示装置
Ｄ５        電気泳動表示装置
【図１】
2004361514.tif 000003
【図２】
2004361514.tif 000004
【図３】
2004361514.tif 000005
【図４】
2004361514.tif 000006
【図５】
2004361514.tif 000007
【図６】
2004361514.tif 000008